(57)【特許請求の範囲】
【請求項３】
生化学分析に供する検体が収容された検体容器が設置される検体設置部、並びに前記生化学分析に用いる消耗品が設置される消耗品設置部が設けられたサンプルトレイと、
前記サンプルトレイが収容される装置本体と、
前記装置本体に設けられ、前記サンプルトレイに通じる開口部と、
前記検体設置部が前記開口部側に配置された通常位置から、前記消耗品設置部が前記開口部側に配置された消耗品補充位置に前記サンプルトレイを移動させる移動指示を受け付ける指示受付部と、
前記サンプルトレイの駆動を制御する駆動制御部であり、前記指示受付部で前記移動指示を受け付けた場合、前記サンプルトレイを前記通常位置から前記消耗品補充位置に移動させる駆動制御部と、
操作に応じて、前記移動指示を前記指示受付部に出力する第１駆動ボタンと、
前記サンプルトレイにおける前記検体設置部および前記消耗品設置部の配列状態を模式的に表し、前記検体設置部に対応する第１表示区画および前記消耗品設置部に対応する第２表示区画が設けられた配置図を表示部に表示する制御を行う第１表示制御部と、
を備え、
前記第２表示区画の少なくとも一部の領域が前記第１駆動ボタンとして機能する生化学分析装置。
【請求項４】
前記第１表示制御部は、前記第２表示区画に前記消耗品の残量を表示する請求項３に記載の生化学分析装置。
【請求項５】
前記サンプルトレイは円形で、かつ前記駆動制御部の制御の下で中心を軸に回転駆動され、
前記第１表示制御部は、前記サンプルトレイの回転位置に応じて前記配置図の表示姿勢を変更する請求項３または４に記載の生化学分析装置。
【請求項６】
前記消耗品に関するエラーを検出し、前記エラーを検出した場合、前記移動指示を前記指示受付部に出力するエラー検出部を備える請求項３ないし５のいずれか１項に記載の生化学分析装置。
【請求項７】
前記エラー検出部で前記エラーを検出した場合、前記エラーの対処法を示すガイドを表示部に表示する制御を行う第２表示制御部を備える請求項６に記載の生化学分析装置。
【請求項８】
前記エラー検出部は、前記消耗品の残量が０になったことを前記エラーとして検出する請求項６または７に記載の生化学分析装置。
【請求項９】
操作に応じて、前記サンプルトレイを前記消耗品補充位置から前記通常位置に戻す戻し指示を前記指示受付部に出力する第２駆動ボタンを備え、
前記駆動制御部は、前記第２駆動ボタンが操作されて前記指示受付部で前記戻し指示を受け付けた場合、前記サンプルトレイを前記消耗品補充位置から前記通常位置に移動させる請求項３ないし８のいずれか１項に記載の生化学分析装置。
【請求項１０】
前記サンプルトレイは円形で、かつ前記駆動制御部の制御の下で中心を軸に回転駆動され、
前記検体設置部および前記消耗品設置部は、円弧状に配置されている請求項請求項３ないし９のいずれか１項に記載の生化学分析装置。
【請求項１１】
前記検体設置部および前記消耗品設置部はそれぞれ複数あり、
複数の前記検体設置部は、前記サンプルトレイの第１領域にまとめて配置され、
複数の前記消耗品設置部は、前記第１領域を除く残りの領域である第２領域にまとめて配置されている請求項３ないし１０のいずれか１項に記載の生化学分析装置。
【請求項１２】
前記消耗品補充位置は、前記第２領域の中心が前記開口部の中心と一致する位置である請求項１１に記載の生化学分析装置。
【請求項１３】
生化学分析に供する検体が収容された検体容器が設置される検体設置部が設けられたサンプルトレイと、前記サンプルトレイが収容される装置本体と、前記装置本体に設けられ、前記サンプルトレイに通じる開口部とを備える生化学分析装置の作動方法において、
前記サンプルトレイにおける前記検体設置部および前記消耗品設置部の配列状態を模式的に表し、前記検体設置部に対応する第１表示区画および前記消耗品設置部に対応する第２表示区画が設けられた配置図を表示部に表示する制御を行う第１表示制御ステップと、
前記検体設置部が前記開口部側に配置された通常位置から、前記消耗品設置部が前記開口部側に配置された消耗品補充位置に前記サンプルトレイを移動させる移動指示を受け付ける指示受付ステップと、
前記第２表示区画の少なくとも一部の領域が、操作に応じて前記移動指示を前記指示受付部に出力する第１駆動ボタンとして機能するステップと、
前記サンプルトレイの駆動を制御する駆動制御ステップであり、前記指示受付ステップで前記移動指示を受け付けた場合、前記サンプルトレイを前記通常位置から前記消耗品補充位置に移動させる駆動制御ステップとを備える生化学分析装置の作動方法。
【請求項１４】
生化学分析に供する検体が収容された検体容器が設置される検体設置部、並びに前記生化学分析に用いる消耗品が設置される消耗品設置部が設けられたサンプルトレイと、
前記サンプルトレイが収容される装置本体と、
前記装置本体に設けられ、前記サンプルトレイに通じる開口部と、
前記検体設置部が前記開口部側に配置された通常位置から、前記消耗品設置部が前記開口部側に配置された消耗品補充位置に前記サンプルトレイを移動させる移動指示を受け付ける指示受付部と、
前記サンプルトレイの駆動を制御する駆動制御部であり、前記指示受付部で前記移動指示を受け付けた場合、前記サンプルトレイを前記通常位置から前記消耗品補充位置に移動させる駆動制御部と、
前記消耗品に関するエラーを検出し、前記エラーを検出した場合、前記移動指示を前記指示受付部に出力するエラー検出部と、
を備える生化学分析装置。
【請求項１５】
前記エラー検出部で前記エラーを検出した場合、前記エラーの対処法を示すガイドを表示部に表示する制御を行う第２表示制御部を備える請求項１４に記載の生化学分析装置。
【請求項１６】
前記エラー検出部は、前記消耗品の残量が０になったことを前記エラーとして検出する請求項１４または１５に記載の生化学分析装置。
【発明の詳細な説明】
【技術分野】
【０００１】
本発明は、生化学分析装置とその作動方法に関する。
【背景技術】
【０００２】
血液や尿等の検体を分析する生化学分析装置が知られている（例えば特許文献１参照）。検体は検体容器に収容され、検体容器は生化学分析装置内のサンプルトレイに設けられた検体設置部に設置される。サンプルトレイには、検体設置部に加えて、様々な消耗品が設置される消耗品設置部も設けられている。消耗品には、検体を吸引および吐出するノズルチップ、検体を希釈する希釈液、検体と希釈液を混合する混合カップ等がある。【０００３】
特許文献１に記載の生化学分析装置では、円形のサンプルトレイが用いられている。サンプルトレイのうちの略半分の領域は複数の検体設置部で占められ、残り半分の領域は複数の消耗品設置部で占められている。これらの設置部は円弧状に配置されている。サンプルトレイの中心から引いた延長線上には、検体中の含有成分の量を測定するための乾式分析素子に検体を点着する点着部が配置されている。この点着部に複数の検体設置部を対面させるため、サンプルトレイは中心を軸に回転駆動される。
【先行技術文献】
【特許文献】
【０００４】
【特許文献１】特開２０１３−０７６６８３号公報
【発明の概要】
【発明が解決しようとする課題】
【０００５】
特許文献１では図示省略されているが、生化学分析装置においては、サンプルトレイは装置本体に収容され、装置本体には、サンプルトレイへのユーザのアクセスを可能とするために、サンプルトレイに通じる開口部が設けられている。そして、通常、検体容器を頻繁に出し入れする検体設置部はユーザがアクセスしやすいように開口部側（手前側）に配置され、消耗品設置部は開口部とは反対側（奥側）に配置される。【０００６】
このように、検体設置部が開口部側、消耗品設置部が開口部とは反対側という配置関係の場合、ユーザは、消耗品を補充するために開口部を介して消耗品設置部にアクセスする際に、検体設置部の上方を横切って手を伸ばす必要がある。したがって、消耗品を補充する際にユーザの手や腕に検体が付着するおそれがあった。【０００７】
本発明は、ユーザの衛生を保つことが可能な生化学分析装置とその作動方法を提供することを目的とする。
【課題を解決するための手段】
【０００８】
上記課題を解決するために、本発明の生化学分析装置は、生化学分析に供する検体が収容された検体容器が設置される検体設置部、並びに生化学分析に用いる消耗品が設置される消耗品設置部が設けられたサンプルトレイと、サンプルトレイが収容される装置本体と、装置本体に設けられ、サンプルトレイに通じる開口部と、検体設置部が開口部側に配置された通常位置から、消耗品設置部が開口部側に配置された消耗品補充位置にサンプルトレイを移動させる移動指示を受け付ける指示受付部と、サンプルトレイの駆動を制御する駆動制御部であり、指示受付部で移動指示を受け付けた場合、サンプルトレイを通常位置から消耗品補充位置に移動させる駆動制御部とを備える。【０００９】
操作に応じて、移動指示を指示受付部に出力する第１駆動ボタンを備えることが好ましい。【００１０】
サンプルトレイにおける検体設置部および消耗品設置部の配列状態を模式的に表し、検体設置部に対応する第１表示区画および消耗品設置部に対応する第２表示区画が設けられた配置図を表示部に表示する制御を行う第１表示制御部を備え、第２表示区画が第１駆動ボタンとして機能することが好ましい。この場合、第１表示制御部は、第２表示区画に消耗品の残量を表示することが好ましい。【００１１】
また、サンプルトレイは円形で、かつ駆動制御部の制御の下で中心を軸に回転駆動され、第１表示制御部は、サンプルトレイの回転位置に応じて配置図の表示姿勢を変更することが好ましい。【００１２】
消耗品に関するエラーを検出し、エラーを検出した場合、移動指示を指示受付部に出力するエラー検出部を備えることが好ましい。エラー検出部でエラーを検出した場合、エラーの対処法を示すガイドを表示部に表示する制御を行う第２表示制御部を備えることが好ましい。エラー検出部は、消耗品の残量が０になったことをエラーとして検出することが好ましい。【００１３】
操作に応じて、サンプルトレイを消耗品補充位置から通常位置に戻す戻し指示を指示受付部に出力する第２駆動ボタンを備え、駆動制御部は、第２駆動ボタンが操作されて指示受付部で戻し指示を受け付けた場合、サンプルトレイを消耗品補充位置から通常位置に移動させることが好ましい。【００１４】
サンプルトレイは円形で、かつ駆動制御部の制御の下で中心を軸に回転駆動され、検体設置部および消耗品設置部は、円弧状に配置されていることが好ましい。【００１５】
検体設置部および消耗品設置部はそれぞれ複数あり、複数の検体設置部は、サンプルトレイの第１領域にまとめて配置され、複数の消耗品設置部は、第１領域を除く残りの領域である第２領域にまとめて配置されていることが好ましい。この場合、消耗品補充位置は、第２領域の中心が開口部の中心と一致する位置であることが好ましい。【００１６】
本発明の生化学分析装置の作動方法は、生化学分析に供する検体が収容された検体容器が設置される検体設置部、並びに生化学分析に用いる消耗品が設置される消耗品設置部が設けられたサンプルトレイと、サンプルトレイが収容される装置本体と、装置本体に設けられ、サンプルトレイに通じる開口部とを備える生化学分析装置の作動方法において、検体設置部が開口部側に配置された通常位置から、消耗品設置部が開口部側に配置された消耗品補充位置にサンプルトレイを移動させる移動指示を受け付ける指示受付ステップと、サンプルトレイの駆動を制御する駆動制御ステップであり、指示受付ステップで移動指示を受け付けた場合、サンプルトレイを通常位置から消耗品補充位置に移動させる駆動制御ステップとを備える。
【発明の効果】
【００１７】
本発明によれば、検体設置部が開口部側に配置された通常位置から、消耗品設置部が開口部側に配置された消耗品補充位置にサンプルトレイを移動させるので、ユーザは、消耗品設置部にアクセスする際に、検体設置部の上方を横切って手を伸ばす必要がなく、このためユーザの手や腕に検体が付着するおそれがない。したがって、ユーザの衛生を保つことが可能な生化学分析装置とその作動方法を提供することができる。
【図面の簡単な説明】
【００１８】
【図１】生化学分析装置の外観を示す斜視図である。
【図２】蓋が開かれた状態の生化学分析装置を示す斜視図である。
【図３】点着部における検体の点着の様子を模式的に示す図である。
【図４】各乾式分析素子と対応する測定項目を示す表である。
【図５】生化学分析装置の内部を示す平面図である。
【図６】消耗品補充位置にあるサンプルトレイを示す平面図である。
【図７】生化学分析装置のブロック図である。
【図８】メイン画面を示す図である。
【図９】配置図の拡大図である。
【図１０】点着が開始された場合のメイン画面を示す図である。
【図１１】第２表示区画の操作からサンプルトレイが消耗品補充位置に移動するに至る処理の流れを示す図である。
【図１２】ガイド画面を示す図である。
【図１３】完了ボタンの操作からサンプルトレイが通常位置に移動するに至る処理の流れを示す図である。
【図１４】生化学分析装置の処理手順を示すフローチャートである。
【図１５】通常位置において検体設置部にユーザの手がアクセスする様子を示す図である。
【図１６】生化学分析装置の処理手順を示すフローチャートである。
【図１７】消耗品補充位置において消耗品設置部にユーザの手がアクセスする様子を示す図である。
【図１８】第２実施形態の生化学分析装置のブロック図である。
【図１９】エラー検出からサンプルトレイが消耗品補充位置に移動するに至る処理の流れを示す図である。
【図２０】第２実施形態の生化学分析装置の処理手順を示すフローチャートである。
【図２１】サンプルトレイの回転位置に応じて配置図の表示姿勢を変更する第３実施形態を示す図である。
【発明を実施するための形態】
【００１９】
[第１実施形態]
図１および図２において、生化学分析装置１０は、例えば病院の検査科に設置され、診療科からのオーダに応じて、血液や尿等の検体を分析する。検体は検体容器１１に収容され、未使用の乾式分析素子２５（図３参照）を収容したカートリッジ１２とセットで、生化学分析装置１０内のサンプルトレイ１３に設置される。
【００２０】
生化学分析装置１０は、箱状の装置本体１０Ａを有する。装置本体１０Ａの前面上部は傾斜面部となっており、その傾斜面部には、跳ね上げ式の蓋１４が取り付けられている。蓋１４は、図１に示す閉じ位置と、図２に示す開き位置との間で開閉可能である。蓋１４は、片側の略半分は開口部１４Ａ、残りはカバー部１４Ｂで構成されている。
【００２１】
装置本体１０Ａの前面上部には、表示部に相当するタッチパネル１５が取り付けられている。タッチパネル１５は、蓋１４が閉じ位置にある図１に示す状態において、蓋１４の開口部１４Ａと対応する位置にある。このため、蓋１４が閉じ位置にある場合も、開口部１４Ａを介してタッチパネル１５の表示を視認することができ、かつタッチパネル１５を操作することができる。
【００２２】
タッチパネル１５には、医療スタッフ等のユーザからの操作指示が入力され、かつ生化学分析に関する情報が表示される。操作指示には、生化学分析のオーダの入力指示、分析の開始指示、分析結果の表示指示、サンプルトレイ１３の移動指示等がある。生化学分析に関する情報には、オーダ、分析の進捗状況、分析結果、後述する消耗品の補充ガイド等がある。
【００２３】
蓋１４のカバー部１４Ｂに対応する装置本体１０Ａの前面上部には、サンプルトレイ１３に通じる開口部１６が設けられている。蓋１４が図１に示す閉じ位置にある場合、開口部１６は蓋１４のカバー部１４Ｂで完全に覆われる。蓋１４が図２に示す開き位置にある場合、開口部１６は開放され、これにより開口部１６を介してサンプルトレイ１３へのユーザのアクセスが可能となり、検体容器１１およびカートリッジ１２の設置、および消耗品の補充が可能となる。なお、装置本体１０Ａの前面下部の符号１７は、使用済みの乾式分析素子２５等が廃却可能に集積される廃却ボックスである。
【００２４】
装置本体１０Ａ内には、サンプルトレイ１３の他に、点着機構１８、点着部１９、第１測定部２０、第２測定部２１（図５参照）等が収容されている。点着機構１８はディスペンサー２２を有し、このディスペンサー２２を用いて、点着部１９において乾式分析素子２５に検体を点着する。第１測定部２０および第２測定部２１は、検体が点着された乾式分析素子２５を受け入れ、検体の含有成分に応じた測定項目について数値（含有成分の量）を測定する。
【００２５】
図３は、点着部１９における検体の点着の様子を模式的に示す。カートリッジ１２は、スライド状の乾式分析素子２５を複数枚収容する。乾式分析素子２５の中央には、検体が点着される丸凹状の点着孔２５Ａが形成されている。
【００２６】
乾式分析素子２５は、図示しない供給機構によってカートリッジ１２から順次点着部１９に供給される。一方、検体は、先端にノズルチップ２６が取り付けられたディスペンサー２２によって検体容器１１から吸引される。そして、点着部１９において、検体はディスペンサー２２から点着孔２５Ａに向けて吐出される。この乾式分析素子２５の点着部１９への供給、検体容器１１からの検体の吸引、および点着孔２５Ａへの検体の吐出を、乾式分析素子２５の枚数分繰り返す。これにより複数枚の乾式分析素子２５に順次検体が点着される。
【００２７】
図４の表３０に示すように、複数枚の乾式分析素子２５は、検体の複数の含有成分に応じた複数の測定項目毎に用意されている。言い換えれば、１枚の乾式分析素子２５は、１つの測定項目の数値を測定するために用意されている。このため、第１測定部２０および第２測定部２１では、検体が点着された複数枚の乾式分析素子２５に対応する複数の測定項目について順次数値が測定される。
【００２８】
測定項目には、生化学分析の方法（比色測定法、電位差測定法）、および目的（一般化学検査、酵素検査等）に応じた複数の種類がある。測定項目の具体例としては、グルコース（血糖）、総コレステロール、クレアチニン、アルブミン、乳酸脱水素酵素、ナトリウム、カリウム、リパーゼ等が挙げられる。ユーザは、生化学分析の方法および目的に応じて、使用する乾式分析素子２５を選択する。なお、図３に示す乾式分析素子２５は、比色測定法に用いられる比色タイプを例示している。電位差測定法に用いられる電解質タイプの乾式分析素子２５の場合は、検体の点着孔２５Ａに加えて、後述する参照液の点着孔が形成されている。
【００２９】
各乾式分析素子２５には、対応する測定項目を示す項目コードがバーコード等の形態で添付されている。点着部１９には、項目コードを読み取るＣＣＤ（Charge Coupled Device）等の読取機（図示せず）が設けられている。生化学分析装置１０は、この読取機で読み取った項目コードで、各乾式分析素子２５の測定項目を認識する。
【００３０】
図５において、サンプルトレイ１３は円形で、外周部の回転ディスク３５と中央部の非回転部３６とで構成される。回転ディスク３５は円環状で、中央部が開口しており、この開口に非回転部３６が配置されている。回転ディスク３５は、中心を軸に回転駆動される。非回転部３６は円盤状で、文字通り回転せずにサンプルトレイ１３の中央部に固定されている。
【００３１】
回転ディスク３５には、二点鎖線の区画で示すように、複数の検体の分析のオーダをまとめて行うために、５つの検体設置部３７Ａ、３７Ｂ、３７Ｃ、３７Ｄ、３７Ｅが設けられている。検体設置部３７Ａ〜３７Ｅには、検体容器１１が設置される検体容器設置孔３８と、カートリッジ１２が設置されるカートリッジ設置孔３９とが形成されている。検体設置部３７Ａ〜３７Ｅには、符号ＩＮＩＤおよび一点鎖線で示すように、各々を識別する設置部識別情報としてのアルファベット「Ａ」、「Ｂ」、「Ｃ」、「Ｄ」、「Ｅ」が付されている。なお、以下では、特に区別する必要がない場合は、検体設置部３７Ａ〜３７Ｅをまとめて検体設置部３７と表記することがある。
【００３２】
図５では、アルファベット「Ａ」が付された検体設置部３７Ａの検体容器設置孔３８およびカートリッジ設置孔３９に、検体容器１１およびカートリッジ１２がそれぞれ設置された状態を示している。このように、１つの検体設置部３７には、１つの検体容器１１が１つのカートリッジ１２とセットで設置される。このため、検体設置部３７と検体、ひいては検体設置部３７と検体を採取した患者または患畜とは、一対一で対応する。
【００３３】
回転ディスク３５には、検体設置部３７の他に、生化学分析に用いる消耗品が設置される消耗品設置部として、２つのノズルチップ設置部４５、３つの希釈液設置部４６、および２つの混合カップ設置部４７が設けられている。ノズルチップ設置部４５には、ノズルチップ２６を多数（本例では２５個）並べて収容したチップラック４８が設置される。希釈液設置部４６には、検体を希釈するための希釈液を収容した希釈液容器４９が設置される。混合カップ設置部４７には、検体と希釈液を混合するための混合カップ５０が複数（本例では１０個）設置される。
【００３４】
検体設置部３７、ノズルチップ設置部４５、希釈液設置部４６、および混合カップ設置部４７は、回転ディスク３５上に円弧状に配置されている。また、検体設置部３７は、回転ディスク３５の略半分の第１領域５５にまとめて配置され、ノズルチップ設置部４５、希釈液設置部４６、および混合カップ設置部４７は、第１領域５５を除く残りの領域である第２領域５６にまとめて配置されている。つまり、検体設置部３７と消耗品設置部とは、配置される領域が明確に分けられている。
【００３５】
図５では、サンプルトレイ１３の回転ディスク３５は、一点鎖線で示す第１領域５５の中心Ｃ１Ｒが、これも一点鎖線で示す開口部１６の中心ＣＡと一致する位置にある。すなわち回転ディスク３５は、検体設置部３７が開口部１６側に配置された位置にある。以下、この図５に示す位置を通常位置とする。
【００３６】
一方、図６に示すように、回転ディスク３５は、一点鎖線で示す第２領域５６の中心Ｃ２Ｒが、開口部１６の中心ＣＡと一致する位置に移動する。すなわち回転ディスク３５は、消耗品設置部（ノズルチップ設置部４５、希釈液設置部４６、および混合カップ設置部４７）が開口部１６側に配置された位置に移動する。以下、この図６に示す位置を消耗品補充位置とする。
【００３７】
非回転部３６には、消耗品設置部として、参照液を収容した参照液容器５７が設置される参照液設置部５８が設けられている。
【００３８】
ノズルチップ２６は、ノズルチップ設置部４５から取り外されて前述のようにディスペンサー２２の先端に装着され、検体の点着等に用いられる。希釈液は、検体が所定以上の濃度で、そのままでは分析が行えない場合に用いられる。希釈液を用いる場合は、まず、点着機構１８で検体容器１１から検体を吸引して混合カップ５０に分注する。次いで、希釈液容器４９から希釈液を吸引して混合カップ５０に吐出し、検体と希釈液とを混合する。そして、希釈液で希釈された検体を乾式分析素子２５の点着孔２５Ａに点着する。参照液は電位差測定法の場合に用いられる。参照液は、点着機構１８で参照液容器５７から吸引され、点着部１９において検体とともに乾式分析素子２５に点着される。
【００３９】
図５において、点着部１９には、点着用開口６０が形成された素子押え６１が設けられている。この素子押え６１には、点着部１９と対面する検体設置部３７のカートリッジ設置孔３９に設置されたカートリッジ１２から、一点鎖線の矢印で示した供給経路Ｒに沿って、順次乾式分析素子２５が供給される。素子押え６１に供給された乾式分析素子２５には、点着用開口６０を介して検体が点着される。なお、図示は省略したが、点着部１９と第１測定部２０の間には、廃却ボックス１７に通じ、使用済みのノズルチップ２６が落下廃却されるノズルチップ廃却口が設けられている。
【００４０】
第１測定部２０および第２測定部２１は、ヒータ等の加熱手段（図示せず）を有し、加熱手段で加熱して温度を一定に保持する恒温器（インキュベータ）である。第１測定部２０は、比色タイプの乾式分析素子２５を受け入れて、比色測定法による測定を行う。第２測定部２１は、電解質タイプの乾式分析素子２５を受け入れて、電位差測定法による測定を行う。比色タイプの乾式分析素子２５は、第１測定部２０で所定時間恒温保持されることで、点着孔２５Ａに点着された検体に呈色反応（色素生成反応）が生じる。
【００４１】
第１測定部２０は、外周部に円環状の回転部材６５を備える。この回転部材６５の内周部には、逆円錐状の傾斜回転筒６６が固着されている。傾斜回転筒６６の下部にはベアリング６７が取り付けられており、回転部材６５はこのベアリング６７に支持されて回転自在である。回転部材６５には、複数枚の乾式分析素子２５を収納する複数の素子収納室６８が円弧状に配置されている。素子収納室６８の中央には円形の測光窓６８Ａが形成されている。
【００４２】
回転部材６５の下部の一角には、測光ヘッド６９が配設されている。測光ヘッド６９は、測光窓６８Ａを通じて、素子収納室６８に収納された乾式分析素子２５の検体の反射光学濃度を測定する。より詳しくは、測光ヘッド６９は、回転部材６５の回転によって対面位置に移動された測光窓６８Ａを介して、呈色反応が生じた点着孔２５Ａの検体に測定光を照射し、その反射光を測定する。測定後、乾式分析素子２５は、図示しない廃却機構で素子収納室６８から押し出されて、廃却ボックス１７に通じる傾斜回転筒６６の内孔６６Ａに落下廃却される。
【００４３】
第２測定部２１は電位測定用プローブ（図示せず）を有する。電位測定用プローブは、電解質タイプの乾式分析素子２５と接触して、電解質タイプの乾式分析素子２５に点着された検体中に含まれるナトリウム等の特定イオンのイオン活量を測定する。この場合も比色タイプの場合と同様に、測定後、乾式分析素子２５は、第２測定部２１から廃却ボックス１７に通じる素子廃却口（図示せず）に移送されて廃却される。
【００４４】
図７において、主制御部７５は、生化学分析装置１０の全体を統括的に制御する。主制御部７５には、第１測定制御部７６、第２測定制御部７７、駆動制御部７８、表示制御部７９、指示受付部８０、および設置センサ８１が接続されている。また、主制御部７５には、残量算出部８２が設けられている。
【００４５】
第１測定制御部７６は、第１測定部２０の加熱手段の駆動および回転部材６５の回転を制御し、かつ測光ヘッド６９の駆動を制御して、検体の反射光学濃度を測定させる。第２測定制御部７７は、第２測定部２１の加熱手段の駆動を制御し、かつ電位測定用プローブの駆動を制御して、検体のイオン活量を測定させる。
【００４６】
第１測定部２０は、測光ヘッド６９で測定した反射光学濃度に応じた、検体の含有成分の量を示す数値を主制御部７５に出力する。同様に、第２測定部２１は、電位測定用プローブで測定したイオン活量に応じた、検体の含有成分の量を示す数値を主制御部７５に出力する。主制御部７５は、数値を表示制御部７９に出力する。
【００４７】
駆動制御部７８は、サンプルトレイ１３の駆動を制御する。実際には、駆動制御部７８は、サンプルトレイ１３の回転ディスク３５を、中心を軸に回転駆動させるモータ（図示せず）のドライバである。
【００４８】
主制御部７５は、検体設置部３７Ａ〜３７Ｅに設置された検体毎に生化学分析の開始からの経過時間を計時する。主制御部７５は、経過時間が生化学分析の所要時間となって、第１測定部２０または第２測定部２１で測定が終了した場合に、当該検体設置部３７に設置された検体の生化学分析の終了を検知する。主制御部７５が生化学分析の終了を検知した場合、当該検体設置部３７から検体容器１１とカートリッジ１２を取り出し、新たな検体容器１１とカートリッジ１２を設置することが可能となる。なお、所要時間は生化学分析の方法および目的に応じて変化する時間であり、既知である。
【００４９】
表示制御部７９は、タッチパネル１５への各種画面の表示を制御する。指示受付部８０は、タッチパネル１５を介してユーザから入力される操作指示を受け付ける。
【００５０】
設置センサ８１は、例えば投光器と受光器からなる反射型の光センサであり、検体設置部３７の検体容器設置孔３８への検体容器１１の設置有無、およびカートリッジ設置孔３９へのカートリッジ１２の設置有無を検出する。また、設置センサ８１は、ノズルチップ設置部４５、希釈液設置部４６、混合カップ設置部４７、参照液設置部５８といった消耗品設置部にも設けられており、これら消耗品設置部への各消耗品の設置有無も検出する。主制御部７５は、設置センサ８１の検出結果を表示制御部７９に出力する。
【００５１】
残量算出部８２は、消耗品の残量ＲＡ（図９参照）を算出する。具体的には、残量算出部８２は、消耗品設置部における消耗品の満補充数（ノズルチップ２６であれば２５個、混合カップ５０であれば１０個）から、使用した数を減算して残量ＲＡを算出する。残量算出部８２は、算出した残量ＲＡを表示制御部７９に出力する。
【００５２】
主制御部７５には、これらの他にも、点着機構１８の駆動制御部、カートリッジ１２から点着部１９に乾式分析素子２５を供給する供給機構の駆動制御部、あるいは、検体である全血から血漿成分を抽出する血漿濾過部（図示せず）または遠心分離部（図示せず）の駆動制御部等が接続されている。
【００５３】
図８は、表示制御部７９がタッチパネル１５に表示するメイン画面９０を示す。メイン画面９０の略中央には配置図９１が表示される。メイン画面９０の上部にはメッセージ表示領域９２が、下部には結果表示切替領域９３がそれぞれ配されている。メッセージ表示領域９２には、生化学分析の進捗状況を示すメッセージ９４や現在日時が表示される。結果表示切替領域９３には、呼出ボタン表示領域９５とサマリー表示ボタン９６とが設けられている。また、配置図９１と結果表示切替領域９３との間には、ボタン表示領域９７Ａ、９７Ｂが設けられている。
【００５４】
呼出ボタン表示領域９５には、検体毎の生化学分析の結果を表示させるための呼出ボタン９８が操作可能に表示される。呼出ボタン９８が操作された場合、指示受付部８０は分析結果の表示指示を受け付ける。指示受付部８０で分析結果の表示指示が受け付けられた場合、表示制御部７９は、メイン画面９０に代えて、結果表示画面（図示せず）をタッチパネル１５に表示する。結果表示画面には、複数の測定項目の数値が並べて表示される。ユーザは、この結果表示画面を通じて、生化学分析の結果を確認することができる。なお、サマリー表示ボタン９６が操作された場合は、表示制御部７９は、当日の全結果を含む過去の結果を全て閲覧可能な結果表示画面（図示せず）をタッチパネル１５に表示する。
【００５５】
ボタン表示領域９７Ａには、「ＳＴＡＲＴ」の標識が出没自在に表示される。「ＳＴＡＲＴ」の標識が表示された場合は、ボタン表示領域９７Ａは分析の開始を指示するスタートボタンとして機能する。「ＳＴＡＲＴ」の標識が表示された状態でボタン表示領域９７Ａが操作された場合、指示受付部８０は、分析の開始指示を受け付ける。
【００５６】
一方、ボタン表示領域９７Ｂには、「ＳＴＯＰ」の標識が出没自在に表示される（図１０参照）。「ＳＴＯＰ」の標識が表示された場合は、ボタン表示領域９７Ｂは分析の中止を指示するストップボタンとして機能する。「ＳＴＯＰ」の標識が表示された状態でボタン表示領域９７Ｂが操作された場合、指示受付部８０は、分析の中止指示を受け付ける。指示受付部８０で分析の中止指示が受け付けられた場合、主制御部７５は、分析を中止させる。
【００５７】
図９に拡大して示すように、配置図９１は、サンプルトレイ１３の回転ディスク３５における検体設置部３７および消耗品設置部（ノズルチップ設置部４５、希釈液設置部４６、混合カップ設置部４７、参照液設置部５８）の配列状態を模式的に表している。具体的には、配置図９１には、検体設置部３７Ａ〜３７Ｅに対応する第１表示区画１００Ａ、１００Ｂ、１００Ｃ、１００Ｄ、１００Ｅ、および消耗品設置部に対応する第２表示区画１０１、１０２、１０３、１０４が設けられている。第１表示区画１００Ａ〜１００Ｅには、検体設置部３７Ａ〜３７Ｅと同じく、設置部識別情報ＩＮＩＤが付されている。
【００５８】
図９では、各表示区画と各設置部との対応関係を明らかにするため、各表示区画の符号に、対応する設置部の符号を括弧書きで付している。なお、以下では、検体設置部３７と同じく、第１表示区画１００Ａ〜１００Ｅをまとめて第１表示区画１００と表記することがある。
【００５９】
混合カップ設置部４７に対応する第２表示区画１０３に示すように、表示制御部７９は、混合カップ５０の残量ＲＡを表示する。すなわち、表示制御部７９は第１表示制御部に相当する。
【００６０】
１２時の位置の第２表示区画１０３のように残量ＲＡが０の場合、表示制御部７９は、ハッチングで示すように残量ＲＡを特定の色（例えば赤色）で塗り潰し、かつ第２表示区画１０３を特定の色（例えばピンク色）で塗り潰す。すなわち、混合カップ５０の残量ＲＡが０の場合の第２表示区画１０３は、残量ＲＡが０でない第２表示区画１０３（図９において１０時の位置にある第２表示区画１０３）と区別して表示される。
【００６１】
混合カップ設置部４７以外の消耗品設置部に対応する第２表示区画１０１、１０２、１０４については、表示制御部７９は残量ＲＡを表示しない。ただし、残量ＲＡが０になった場合は、１２時の位置の第２表示区画１０３と同じく、表示制御部７９は第２表示区画１０１、１０２、１０４をピンク色で塗り潰す。
【００６２】
第１表示区画１００は、ユーザが指で操作可能な操作ボタンとして機能する。第１表示区画１００が操作された場合、表示制御部７９は、メイン画面９０に代えて、操作された第１表示区画１００に対応する検体設置部３７に設置された検体の生化学分析のオーダに係るオーダ画面（図示せず）をタッチパネル１５に表示する。ユーザは、このオーダ画面を通じて、検体を識別する検体ＩＤ（Identification data）を含むオーダを入力し、指示受付部８０にオーダの入力指示を与える。なお、検体ＩＤは、例えば検体を採取した患者または患畜の氏名のローマ字表記である（図１０参照）。
【００６３】
指示受付部８０でオーダの入力指示および分析の開始指示が受け付けられた場合、主制御部７５は、設置センサ８１を駆動させ、指示受付部８０でオーダの入力指示を受け付けた第１表示区画１００に対応する検体設置部３７への検体容器１１およびカートリッジ１２の設置有無を検出させる。
【００６４】
指示受付部８０でオーダの入力指示を受け付けた第１表示区画１００に対応する検体設置部３７への検体容器１１およびカートリッジ１２の設置が検出された場合、主制御部７５は、点着機構１８を駆動させて点着を開始させる。検体設置部３７Ａ〜３７Ｅの全てに検体容器１１およびカートリッジ１２が設置されていた場合は、最初に検体設置部３７Ａの乾式分析素子２５に点着を行い、次いで検体設置部３７Ｂの乾式分析素子２５、検体設置部３７Ｃの乾式分析素子２５と順次点着を行っていき、最後に検体設置部３７Ｅの乾式分析素子２５に点着を行う。この際、点着対象の検体設置部３７が点着部１９に対面するよう、駆動制御部７８の制御の下、サンプルトレイ１３の回転ディスク３５が回転駆動する。
【００６５】
一方、指示受付部８０でオーダの入力指示を受け付けた第１表示区画１００に対応する検体設置部３７への検体容器１１およびカートリッジ１２の設置が検出されなかった場合は、表示制御部７９は、メイン画面９０に代えて、検体容器１１およびカートリッジ１２の設置を促す警告画面（図示せず）をタッチパネル１５に表示する。
【００６６】
図１０は、点着が開始された場合のメイン画面９０の表示例である。図１０において、表示制御部７９は、メッセージ表示領域９２のメッセージ９４を、図８の「測定できます」から「点着中」に変更する。また、今まさに乾式分析素子２５に点着中の検体設置部３７に対応する第１表示区画１００と、点着の待機中の検体設置部３７に対応する第１表示区画１００とを、ハッチングで示すように異なる色（例えば点着中を赤茶色、待機中をクリーム色）で塗り潰す。この特定色の塗り潰しによって、当該検体設置部３７への検体容器１１およびカートリッジ１２の設置が検出されたこと（検体容器１１およびカートリッジ１２の設置有無）も示される。
【００６７】
図１０では、第１表示区画１００Ａ〜１００Ｃに対応する検体設置部３７Ａ〜３７Ｃへの検体容器１１およびカートリッジ１２の設置が検出され、かつ検体設置部３７Ａが点着中、検体設置部３７Ｂ、３７Ｃが待機中の場合を例示している。ここで、破線で囲んで示す符号ＳＩＤは、検体ＩＤである。なお、図１０では、測定は開始されておらず、生化学分析の結果は未だ出力されていないので、呼出ボタン表示領域９５に呼出ボタン９８は表示されていない。
【００６８】
図１１に示すように、消耗品の残量ＲＡが０になった場合、第２表示区画１０１〜１０４（図１１では第２表示区画１０３を例示）は、第１表示区画１００と同じく、ユーザが指で操作可能な操作ボタンとして機能する。第２表示区画１０１〜１０４が操作された場合、指示受付部８０は、サンプルトレイ１３の移動指示を受け付ける。すなわち、第２表示区画１０１〜１０４は、操作に応じて、移動指示を指示受付部８０に出力する第１駆動ボタンに相当する。
【００６９】
指示受付部８０でサンプルトレイ１３の移動指示が受け付けられた場合、主制御部７５は、サンプルトレイ１３の移動指令を駆動制御部７８に出力する。駆動制御部７８は、移動指令を受けて、サンプルトレイ１３を通常位置から消耗品補充位置に移動させる。
【００７０】
また、指示受付部８０でサンプルトレイ１３の移動指示が受け付けられた場合、表示制御部７９は、メイン画面９０に代えて、図１２に示すガイド画面１１０をタッチパネル１５に表示する。
【００７１】
ガイド画面１１０の上部には、消耗品の補充ガイド１１１が表示される。補充ガイド１１１は、消耗品補充位置にあるサンプルトレイ１３を開口部１６側から写した写真、またはイラストである。補充ガイド１１１には、実際にユーザの手で消耗品を補充している様子が表示される。図１２においては、図１１の例に引き続き、第２表示区画１０３が操作され、第２表示区画１０３に対応する混合カップ設置部４７に混合カップ５０を補充する様子を示す補充ガイド１１１が表示された場合を例示している。なお、補充ガイド１１１は、写真やイラスト等の静止画像に限らず、音声ガイド付きの動画像であってもよい。
【００７２】
補充ガイド１１１の下部左側には、位置表示図１１２が表示される。位置表示図１１２は、補充すべき消耗品の位置を示す図である。より詳しくは、位置表示図１１２は、サンプルトレイ１３の斜視図であって、ハッチングで示すように補充すべき消耗品（本例では混合カップ５０）が特定の色（例えば橙色）で塗り潰され、他の消耗品と区別して表示される。
【００７３】
位置表示図１１２の右側には、配置図９１の第２表示区画１０３と同じく残量ＲＡが表示され、さらに残量ＲＡの下部にはリセットボタン１１３が表示される。リセットボタン１１３が操作された場合、残量算出部８２は、それまで算出していた残量ＲＡを満補充数にリセットする。
【００７４】
図１２では、混合カップ５０についての補充ガイド１１１や位置表示図１１２等を例示したが、これら補充ガイド１１１や位置表示図１１２等は消耗品毎に用意されており、下部のタブ１１４で表示を切り替えることが可能である。
【００７５】
また、図１２では、混合カップ設置部４７に対応する第２表示区画１０３が操作された場合を例示したため、混合カップ５０についての補充ガイド１１１や位置表示図１１２等を表示しているが、他の消耗品の残量ＲＡが０となり、他の消耗品の設置部に対応する第２表示区画が操作された場合は、表示制御部７９は他の消耗品についての補充ガイド１１１や位置表示図１１２等を表示する。例えばノズルチップ２６の残量ＲＡが０となり、ノズルチップ設置部４５に対応する第２表示区画１０１が操作された場合は、図１２の混合カップ５０についての補充ガイド１１１や位置表示図１１２等ではなく、ノズルチップ２６（チップラック４８）についての補充ガイド１１１や位置表示図１１２等を表示する。
【００７６】
ガイド画面１１０の最下部には、完了ボタン１１５が設けられている。図１３に示すように、完了ボタン１１５が操作された場合、指示受付部８０は、サンプルトレイ１３の戻し指示を受け付ける。すなわち、完了ボタン１１５は、操作に応じて、戻し指示を指示受付部８０に出力する第２駆動ボタンに相当する。
【００７７】
指示受付部８０でサンプルトレイ１３の戻し指示が受け付けられた場合、主制御部７５は、サンプルトレイ１３の戻し指令を駆動制御部７８に出力する。駆動制御部７８は、戻し指令を受けて、サンプルトレイ１３を消耗品補充位置から通常位置に移動させる。
【００７８】
以下、上記構成による作用について、図１４〜図１７を参照して説明する。まず、図１４において、ユーザは、蓋１４を開いて開口部１６を開放する。そして、開口部１６を介して、生化学分析の対象患者または対象患畜から採取した検体を収容した検体容器１１を検体容器設置孔３８に、未使用の乾式分析素子２５を収容したカートリッジ１２をカートリッジ設置孔３９に、それぞれ設置する（ステップＳＴ１００）。
【００７９】
このとき、サンプルトレイ１３は通常位置にある。このため、図１５に示すように、ユーザの手が検体設置部３７にアクセスしやすい。したがって、ユーザは容易に検体容器１１およびカートリッジ１２を検体設置部３７に設置することができる。
【００８０】
図１４のステップＳＴ１１０に示すように、検体容器１１およびカートリッジ１２の設置後、ユーザは蓋１４を閉じ、検体容器１１およびカートリッジ１２を設置した検体設置部３７に対応するメイン画面９０の第１表示区画１００を操作する。この操作を受けて、表示制御部７９によりオーダ画面がメイン画面９０に替って表示される。ユーザは、オーダ画面を通じてオーダを入力する（ステップＳＴ１２０）。これによりオーダの入力指示が指示受付部８０で受け付けられる（ステップＳＴ１３０）。
【００８１】
オーダの入力後、ユーザは、スタートボタンとして機能するボタン表示領域９７Ａを操作する。これにより、分析の開始指示が指示受付部８０で受け付けられる（ステップＳＴ１４０）。
【００８２】
指示受付部８０で分析の開始指示が受け付けられた場合、主制御部７５の制御の下、設置センサ８１により検体設置部３７への検体容器１１およびカートリッジ１２の設置有無が検出される（ステップＳＴ１５０）。次いで、点着機構１８により乾式分析素子２５への点着が行われる（ステップＳＴ１６０）。さらに続けて、第１測定部２０または第２測定部２１で各測定項目の数値の測定が行われる（ステップＳＴ１７０）。
【００８３】
測定が開始された場合、表示制御部７９により呼出ボタン表示領域９５に呼出ボタン９８が表示される（ステップＳＴ１８０）。呼出ボタン９８が操作された場合（ステップＳＴ１９０でＹＥＳ）、表示制御部７９により結果表示画面がメイン画面９０に替って表示される（ステップＳＴ２００）。これらステップＳＴ１６０〜ステップＳＴ２００までの一連の処理は、ステップＳＴ１３０で受け付けた全オーダの分析が終了するまで（ステップＳＴ２１０でＹＥＳ）、繰り返し続けられる。
【００８４】
図１６に示すように、残量算出部８２では、消耗品の残量ＲＡが算出される（ステップＳＴ３００）。残量ＲＡが０となった場合（ステップＳＴ３１０でＹＥＳ）、図９で示したように、表示制御部７９により、残量ＲＡが０である旨が第２表示区画１０１〜１０４に表示される（ステップＳＴ３２０）。具体的には、第２表示区画１０３の場合は、残量ＲＡ自体と表示色によって、混合カップ５０の残量ＲＡが０である旨が表示される。第２表示区画１０１、１０２、１０４の場合は、表示色によって、ノズルチップ２６、希釈液、参照液の残量が０である旨が表示される。
【００８５】
ユーザは、残量ＲＡが０である旨の表示を見て、当該表示がなされた第２表示区画１０１〜１０４を操作する（ステップＳＴ３３０でＹＥＳ）。これにより、サンプルトレイ１３の移動指示が指示受付部８０で受け付けられる（ステップＳＴ３４０、指示受付ステップ）。
【００８６】
指示受付部８０で移動指示が受け付けられた場合、図１１で示したように、主制御部７５から駆動制御部７８に移動指令が出力される。そして、駆動制御部７８により、サンプルトレイ１３が通常位置から消耗品補充位置に移動される（ステップＳＴ３５０、駆動制御ステップ）。
【００８７】
通常位置において消耗品を補充しようとした場合、ユーザは検体設置部３７の上方を横切って手を伸ばす必要がある。このため、消耗品を補充する際にユーザの手や腕に検体が付着するおそれがあった。対して図１７に示すように、消耗品補充位置においては、ユーザの手は、検体設置部３７の上方を横切ることなく消耗品設置部にアクセスすることができる。したがって、消耗品を補充する際にユーザの手や腕に検体が付着するおそれがなく、ユーザの衛生を保つことが可能となる。また、ユーザは容易に消耗品を補充することができる。
【００８８】
図１６のステップＳＴ３６０に示すように、指示受付部８０で移動指示が受け付けられた場合、図１２で示したように表示制御部７９によりガイド画面１１０がメイン画面９０に替って表示される。ユーザは、ガイド画面１１０の補充ガイド１１１にしたがって消耗品を補充した後、リセットボタン１１３を操作する。これにより、残量算出部８２でそれまで算出されていた残量ＲＡが満補充数にリセットされる。
【００８９】
リセットボタン１１３の操作後、ユーザはさらに完了ボタン１１５を操作する（ステップＳＴ３７０でＹＥＳ）。これにより、サンプルトレイ１３の戻し指示が指示受付部８０で受け付けられる（ステップＳＴ３８０）。
【００９０】
指示受付部８０で戻し指示が受け付けられた場合、図１３で示したように、主制御部７５から駆動制御部７８に戻し指令が出力される。そして、駆動制御部７８により、サンプルトレイ１３が消耗品補充位置から通常位置に移動される（ステップＳＴ３９０）。
【００９１】
表示制御部７９は、サンプルトレイ１３における検体設置部３７および消耗品設置部４５〜４７、５８の配列状態を模式的に表し、検体設置部３７に対応する第１表示区画１００および消耗品設置部４５〜４７、５８に対応する第２表示区画１０１〜１０４が設けられた配置図９１をタッチパネル１５に表示し、第２表示区画１０１〜１０４を、移動指示を指示受付部８０に出力する第１駆動ボタンとして機能させるので、ユーザにとって操作が直感的で分かりやすい。
【００９２】
もちろん、第２表示区画１０１〜１０４とは別に第１駆動ボタンを設けてもよい。さらに、タッチパネル１５に表示される操作ボタンではなく、装置本体１０Ａに取り付けた物理的なボタンを第１駆動ボタンとして機能させてもよい。第２駆動ボタンも同様に、例示した完了ボタン１１５ではなく、装置本体１０Ａに取り付けた物理的なボタンを第２駆動ボタンとして機能させてもよい。
【００９３】
表示制御部７９は、第２表示区画１０３に混合カップ５０の残量ＲＡを表示するので、ユーザは混合カップ５０の残量ＲＡを常に確認することができ、混合カップ５０を補充するタイミングを見計らうことができる。
【００９４】
なお、混合カップ５０の残量ＲＡだけでなく、他の消耗品のノズルチップ２６、希釈液、参照液の残量ＲＡも第２表示区画１０１、１０２、１０４に表示してもよい。また、第２表示区画１０１〜１０４とは別に、例えばメイン画面９０に代えて表示される専用の画面等で残量ＲＡを表示してもよい。
【００９５】
駆動制御部７８は、第２駆動ボタンとして機能する完了ボタン１１５が操作されて指示受付部８０で戻し指示を受け付けた場合、サンプルトレイ１３を消耗品補充位置から通常位置に移動させるので、ワンタッチの操作で簡単にサンプルトレイ１３を通常位置に戻すことができる。
【００９６】
複数の消耗品設置部は第２領域５６にまとめて配置され、消耗品補充位置は、第２領域５６の中心Ｃ２Ｒが開口部１６の中心ＣＡと一致する位置であるため、消耗品補充位置においては、どの消耗品設置部にも等しくアクセスがしやすい。また、消耗品補充位置が１カ所に限定されるため、サンプルトレイ１３の駆動制御が簡単である。
【００９７】
なお、各消耗品設置部の中心が開口部１６の中心と一致する位置を消耗品補充位置とし、消耗品補充位置を複数の消耗品設置部毎に設けてもよい。この場合、例えばノズルチップ２６の残量ＲＡが０で第２表示区画１０１が操作されたときには、ノズルチップ設置部４５の中心が開口部１６の中心ＣＡと一致する位置にサンプルトレイ１３を移動させる。また、混合カップ５０の残量ＲＡが０で第２表示区画１０３が操作されたときには、混合カップ設置部４７の中心が開口部１６の中心ＣＡと一致する位置にサンプルトレイ１３を移動させる。
【００９８】
ここで「一致する位置」とは、互いの中心の位置が完全に一致する場合はもちろんのこと、互いの中心の位置のずれがある程度の許容範囲内（例えば±１０°等）に収まっている場合も含む。
【００９９】
なお、消耗品補充位置は、消耗品設置部が開口部１６側に配置される位置であればよく、必ずしも第２領域５６の中心Ｃ２Ｒが開口部１６の中心ＣＡと一致する位置、あるいは各消耗品設置部の中心が開口部１６の中心と一致する位置でなくともよい。
【０１００】
[第２実施形態]
上記第１実施形態では、第１駆動ボタンに相当する第２表示区画１０１〜１０４が操作された場合に、サンプルトレイ１３を通常位置から消耗品補充位置に移動させているが、本発明はこれに限定されない。図１８〜図２０に示す第２実施形態のように、消耗品に関するエラーを検出した場合に、サンプルトレイ１３を通常位置から消耗品補充位置に移動させてもよい。
【０１０１】
図１８において、第２実施形態においては、主制御部１２０に残量算出部８２に加えてエラー検出部１２１が設けられる。図１９に示すように、残量算出部８２は、消耗品の残量ＲＡが０になった場合、その旨をエラー検出部１２１に出力する。エラー検出部１２１は、消耗品に関するエラーとして、消耗品の残量ＲＡが０になったことを検出する。エラー検出部１２１は、エラーを検出した場合、移動指示を指示受付部８０に出力する。以降の処理の流れは、図１１に示す上記第１実施形態の場合と同じである。
【０１０２】
図２０に示すように、第２実施形態においては、残量ＲＡが０となった場合（ステップＳＴ３１０でＹＥＳ）、表示制御部７９により、残量ＲＡが０である旨が第２表示区画１０１〜１０４に表示され、かつエラー検出部１２１でエラーが検出される（ステップＳＴ５００）。そして、エラー検出部１２１からサンプルトレイ１３の移動指示が出力され、第２表示区画１０１〜１０４の操作なくして、指示受付部８０で移動指示が受け付けられる（ステップＳＴ３４０、指示受付ステップ）。
【０１０３】
第２実施形態においても、上記第１実施形態と同じく、表示制御部７９によりガイド画面１１０がタッチパネル１５に表示される（ステップＳＴ３６０）。この場合、補充ガイド１１１は、エラーの対処法を示すガイドに相当する。すなわち、表示制御部７９は第２表示制御部に相当する。
【０１０４】
このように、エラー検出部１２１でエラーを検出した場合、サンプルトレイ１３の移動指示を指示受付部８０に出力するので、第２表示区画１０１〜１０４の操作を待たずに、自動的にサンプルトレイ１３を通常位置から消耗品補充位置に移動させることができる。また、エラー検出部１２１でエラーを検出した場合、エラーの対処法を示すガイド（補充ガイド１１１）を表示するので、取扱説明書等を参照しなくともユーザは的確にエラーに対処することができ、ユーザの利便性を高めることができる。
【０１０５】
なお、エラー検出部１２１が検出するエラーとしては、消耗品の残量ＲＡが０になったことに代えて、あるいは加えて、消耗品の設置位置のずれ、規格外の消耗品の設置、希釈液、参照液の液漏れ等でもよい。
【０１０６】
[第３実施形態]
上記第１実施形態では、メイン画面９０において配置図９１は開口部１６側（手前側）の第１領域５５が下、開口部１６とは反対側（奥側）の第２領域５６が上と、表示姿勢が常に同じであったが、図２１に示す第３実施形態では、表示制御部７９は、サンプルトレイ１３の回転ディスク３５の回転位置に応じて配置図９１の表示姿勢を変更する。
【０１０７】
図２１は、検体設置部３７Ｄが点着部１９に対面する位置に回転ディスク３５が回転駆動した場合を例示している。この場合、メイン画面９０の配置図９１も、回転ディスク３５の回転位置に応じて、検体設置部３７Ｄに対応する第１表示区画１００Ｄが９時の位置となるよう、表示制御部７９により表示姿勢が変更される。
【０１０８】
このように、サンプルトレイ１３の回転ディスク３５の回転位置に応じて配置図９１の表示姿勢を変更すれば、どの検体設置部３７がどういった位置にあって、かつどういった処理が施されているかが一目で分かる。
【０１０９】
なお、回転ディスク３５が消耗品補充位置に移動した場合には、メイン画面９０において配置図９１を消耗品補充位置に倣った表示姿勢に変更したうえで、ガイド画面１１０を表示する。こうすれば、回転ディスク３５が消耗品補充位置に移動したことを、ユーザに視覚的にアピールすることができる。
【０１１０】
上記各実施形態では、円形のサンプルトレイ１３を例示したが、サンプルトレイの形状は円形でなくてもよく、例えば矩形状であってもよい。
【０１１１】
なお、検体ＩＤとしては、生化学分析装置１０が設置された病院で患者または患畜に付された、記号や数字からなる患者ＩＤまたは患畜ＩＤでもよい。
【０１１２】
上記各実施形態において、駆動制御部７８、第１、第２表示制御部である表示制御部７９、指示受付部８０、残量算出部８２、およびエラー検出部１２１といった各種の処理を実行する処理部（processing unit)のハードウェア的な構造は、次に示すような各種のプロセッサ（processor）である。各種のプロセッサには、ソフトウエア（プログラム）を実行して各種の処理部として機能する汎用的なプロセッサであるＣＰＵ（Central Processing Unit)、あるいはＦＰＧＡ(Field Programmable Gate Array)等の製造後に回路構成を変更可能なプロセッサであるプログラマブルロジックデバイス（Programmable Logic Device:ＰＬＤ）、さらにはＡＳＩＣ（Application Specific Integrated Circuit）等の特定の処理を実行させるために専用に設計された回路構成を有するプロセッサである専用電気回路等が含まれる。
【０１１３】
１つの処理部は、これら各種のプロセッサのうちの１つで構成されてもよいし、同種または異種の２つ以上のプロセッサの組み合せ（例えば、複数のＦＰＧＡや、ＣＰＵとＦＰＧＡの組み合わせ）で構成されてもよい。また、複数の処理部を１つのプロセッサで構成してもよい。複数の処理部を１つのプロセッサで構成する例としては、第１に、１つ以上のＣＰＵとソフトウエアの組み合わせで１つのプロセッサを構成し、このプロセッサが複数の処理部として機能する形態がある。第２に、システムオンチップ（System On Chip:ＳｏＣ）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０１１４】
さらに、これらの各種のプロセッサのハードウェア的な構造は、より具体的には、半導体素子などの回路素子を組み合わせた電気回路（circuitry）である。
【０１１５】
以上の説明から、以下の付記項に示す発明を把握することができる。
【０１１６】
［付記項１］
生化学分析に供する検体が収容された検体容器が設置される検体設置部、並びに前記生化学分析に用いる消耗品が設置される消耗品設置部が設けられたサンプルトレイと、
前記サンプルトレイが収容される装置本体と、
前記装置本体に設けられ、前記サンプルトレイに通じる開口部と、
前記検体設置部が前記開口部側に配置された通常位置から、前記消耗品設置部が前記開口部側に配置された消耗品補充位置に前記サンプルトレイを移動させる移動指示を受け付ける指示受付プロセッサと、
前記サンプルトレイの駆動を制御する駆動制御プロセッサであり、前記指示受付プロセッサで前記移動指示を受け付けた場合、前記サンプルトレイを前記通常位置から前記消耗品補充位置に移動させる駆動制御プロセッサとを備える生化学分析装置。
【０１１７】
本発明は、上述の種々の実施形態や種々の変形例を適宜組み合わせることも可能である。また、上記各実施形態に限らず、本発明の要旨を逸脱しない限り種々の構成を採用し得ることはもちろんである。
【符号の説明】
【０１１８】
１０  生化学分析装置
１０Ａ  装置本体
１１  検体容器
１２  カートリッジ
１３  サンプルトレイ
１４  蓋
１４Ａ  開口部
１４Ｂ  カバー部
１５  タッチパネル
１６  開口部
１７  廃却ボックス
１８  点着機構
１９  点着部
２０、２１  第１、第２測定部
２２  ディスペンサー
２５  乾式分析素子
２５Ａ  点着孔
２６  ノズルチップ
３０  表
３５  回転ディスク
３６  非回転部
３７、３７Ａ〜３７Ｅ  検体設置部
３８  検体容器設置孔
３９  カートリッジ設置孔
４５  ノズルチップ設置部
４６  希釈液設置部
４７  混合カップ設置部
４８  チップラック
４９  希釈液容器
５０  混合カップ
５５  第１領域
５６  第２領域
５７  参照液容器
５８  参照液設置部
６０  点着用開口
６１  素子押え
６５  回転部材
６６  傾斜回転筒
６６Ａ  内孔
６７  ベアリング
６８  素子収納室
６８Ａ  測光窓
６９  測光ヘッド
７５、１２０  主制御部
７６、７７  第１、第２測定制御部
７８  駆動制御部
７９  表示制御部（第１、第２表示制御部）
８０  指示受付部
８１  設置センサ
８２  残量算出部
９０  メイン画面
９１  配置図
９２  メッセージ表示領域
９３  結果表示切替領域
９４  メッセージ
９５  呼出ボタン表示領域
９６  サマリー表示ボタン
９７Ａ、９７Ｂ  ボタン表示領域
９８  呼出ボタン
１００、１００Ａ〜１００Ｅ  第１表示区画
１０１〜１０４  第２表示区画（第１駆動ボタン）
１１０  ガイド画面
１１１  補充ガイド（エラーの対処法を示すガイド）
１１２  位置表示図
１１３  リセットボタン
１１４  タブ
１１５  完了ボタン（第２駆動ボタン）
１２１  エラー検出部
ＩＮＩＤ  設置部識別情報
Ｒ  供給経路
Ｃ１Ｒ  第１領域の中心
Ｃ２Ｒ  第２領域の中心
ＣＡ  開口部の中心
ＲＡ  残量
ＳＩＤ  検体ＩＤ
ＳＴ１００〜ＳＴ２１０、ＳＴ３００〜ＳＴ３９０、ＳＴ５００  ステップ
【図１】
0006690028.tif 000002
【図２】
0006690028.tif 000003
【図３】
0006690028.tif 000004
【図４】
0006690028.tif 000005
【図５】
0006690028.tif 000006
【図６】
0006690028.tif 000007
【図７】
0006690028.tif 000008
【図８】
0006690028.tif 000009
【図９】
0006690028.tif 000010
【図１０】
0006690028.tif 000011
【図１１】
0006690028.tif 000012
【図１２】
0006690028.tif 000013
【図１３】
0006690028.tif 000014
【図１４】
0006690028.tif 000015
【図１５】
0006690028.tif 000016
【図１６】
0006690028.tif 000017
【図１７】
0006690028.tif 000018
【図１８】
0006690028.tif 000019
【図１９】
0006690028.tif 000020
【図２０】
0006690028.tif 000021
【図２１】
0006690028.tif 000022